(57)【要約】【課題】パン・チルトによって生じる再生時の見づらい画像を軽減するためにパン、チルトによる画像の移動量を電子ビューファインダーに表示したり、パン、チルト量がある設定値を越えた場合は警告を表示することで、見づらい画像の撮像を軽減する撮像装置を提供することを目的とする。【解決手段】撮像素子から得られた映像信号を用いてカメラプロセス部で撮像装置出力信号を得るとともに移動量検出回路で前記撮像素子出力から前のフィールドと今のフィールドの画面を比べて画像の移動量を検出し、表示コントロール部でこの移動量を電子ビューファインダーに表示できるように信号を作成し、前記カメラプロセス出力と前記表示コントロール出力を加算して、電子ビューファインダーにパン、チルトによる画像の移動量とともに画像を同時に表示する。【選択図】図１
2006237927.tif 000002
【特許請求の範囲】
【請求項１】
撮像素子と記録部および電子ビューファインダーを有する撮像装置であって、
前記撮像素子出力から前記記録部への映像入力信号を得るためのカメラプロセス部と、
前記撮像素子出力からカメラのパン・チルトによる移動量を検出する移動量検出回路部と、
前記移動量をディスプレイに表示するための表示コントロール部と、
前記表示コントロール部の出力信号と前記カメラプロセスの出力信号を加算する加算部と、
前記加算部出力を表示するための電子ビューファインダーと、
を備えたことを特徴とする撮像装置。
【請求項２】
前記移動量検出回路部は、前記撮像素子出力信号をフィールド遅延させるフィールド遅延回路部と、
さらに水平・垂直方向に任意の遅延量を遅延させる水平・垂直遅延可変回路部と、
前記撮像素子出力信号と前記可変遅延回路部出力とを比較する比較回路と、
前記比較回路出力信号の一致具合を判定して合致信号を出力する合致判定回路部と、
前記水平・垂直遅延可変回路部の可変量を制御するとともに前記合致判定回路の合致信号を読みとって移動量を検出するＣＰＵと、
を備えたことを特徴とする請求項１記載の撮像装置。
【請求項３】
撮像素子と記録部および電子ビューファインダーを有する撮像装置であって、
前記撮像素子出力から前記記録部への映像入力信号を得るためのカメラプロセス部と、
カメラのパンあるいはチルトによる角速度を検出する角速度センサー部と、
前記角速度センサー部の角速度信号とカメラレンズ情報のフォーカス位置およびズーム位置を読みとりパンとチルト量よる移動量を算出するＣＰＵと、
前記ＣＰＵ出力信号をディスプレイに表示するための表示コントロール部と、
前記カメラプロセス回路出力信号と表示コントロール部を加算する加算部と、
前記加算出力を表示するための電子ビューファインダーと、
を備えたことを特徴とする撮像装置
【発明の詳細な説明】
【技術分野】
【０００１】
本発明はカメラ部と記録部および電子ビューファインダーを有するシステムにおいて撮像時の不具合を軽減する撮像装置に関するものである。
【背景技術】
【０００２】
近年、撮像装置は誰にでも簡単に使用でき、失敗の少ない撮像ができるようにされている。
【０００３】
以下に従来の撮像装置について説明する。
【０００４】
従来、撮像装置は特許文献１に記載されたものが知られている。その撮像装置を図４に示す。図４は従来の撮像装置の構成図を示すものである。図４において、１６はフォーカスレンズ、１７はフォーカスのポジションを検出するフォーカスポジション検出器、１８はズームレンズ、１９は前記ズームレンズのポジションを検出するズームポジション検出器、２０はレンズの光量を制御する絞り、２１は前記絞りの状態を検出する絞りセンサー、２２はレンズから得られる光を電気信号に変換する撮像素子、２３は前記撮像素子から得られる信号から撮像装置の出力信号を作成するカメラプロセス部、２４は前記カメラ出力が規定値になるように制御信号として入力されて前記絞りの値を制御する絞りコントロール部、２５は前記フォーカスポジション検出器出力と前記ズームポジション検出器出力と絞りセンサー出力をＡＤ変換するＡＤ変換器部、２６は前記フォーカスポジション検出器出力と前記ズームポジション検出器出力と絞りセンサー出力をそれぞれ演算して数値で表す演算部、２７は前記演算されたそれぞれの値をディスプレイに表示する信号に変換する表示コントロール部、２８は前記カメラプロセス出力と前記表示コントロール部出力を加算する加算部、２９はこの加算部出力を表示する電子ビューファインダーで構成されている。
【０００５】
以上のように構成された従来の撮像装置について、以下その動作について説明する。
まず、レンズのフォーカス値、ズーム値、絞り値をそれぞれのフォーカスフォーカスポジション検出器１７、ズームポジション検出器１９、絞りセンサー２１から検出し、さらにＡＤ変換器２５でＡＤ変換することによりデジタル信号を得る。次にこのデジタル信号より、フォーカス、ズーム、絞りの値を演算部２６で算出し、表示コントロール部２７でディスプレイに表示できる信号に変換する。撮像素子２２ではレンズから入射される光に応じて電気信号に変換して映像信号を得、さらにカメラプロセス部２３でこの撮像素子出力から信号を処理して撮像装置の出力信号を得る。表示コントロール部２７出力と前記カメラプロセ部ス２３出力を加算部２８で加算して電子ビューファインダー２９に撮像画像と共にレンズのフォーカス値、ズーム値、絞り値が表示できる。
【特許文献１】特開平１−２４５７３号公報
【発明の開示】
【発明が解決しようとする課題】
【０００６】
しかしながら上記の従来の構成では、レンズの状態を表示するフォース値、ズーム値、絞り値の表示が電子ビューファインダーに表示され、撮像による不具合をなくするための表示がされているが、今日ではこれらの制御は自動化され、問題を起こすことは略々なくなっている。一般の人のパン、チルト動作は再生画像では画像の動きが早やすぎて見づらい画像になり、失敗作として使用できない画像になることが度々あるという問題点を有していた。
【０００７】
本発明はパン・チルトによって生じる再生時の見づらい画像を軽減するためにパン、チルトの量を電子ビューファインダーに表示したり、パン、チルト量がある設定値を越えた場合は警告を表示することで、パン・チルト動作の早すぎる動作を制限し、見づらい画像の撮像を軽減する撮像装置を提供することを目的とする。
【課題を解決するための手段】
【０００８】
本発明の請求項１に記載の撮像装置は、
撮像素子と記録部および電子ビューファインダーを有する撮像装置であって、
前記撮像素子出力から前記記録部への映像入力信号を得るためのカメラプロセス部と、
前記撮像素子出力からカメラのパン・チルトによる移動量を検出する移動量検出回路部と、
前記移動量をディスプレイに表示するための表示コントロール部と、
前記表示コントロール部の出力信号と前記カメラプロセスの出力信号を加算する加算部と、
前記加算部出力を表示するための電子ビューファインダーと、
を備えたものであり、
撮像素子から得られた映像信号を用いてカメラプロセス部で撮像装置出力信号を得るとともに移動量検出回路部で前記撮像素子出力から前のフィールドと今のフィールドの画面を比べて移動量を検出し、表示コントロール部でこの移動量を電子ビューファインダーに表示できるように信号を作成し、前記カメラプロセス部出力と前記表示コントロール部出力を加算器で加算して、電子ビューファインダーにパン、チルトによる画像の移動量とともに画像を同時に表示するという作用を有する。
【０００９】
請求項２に記載の発明の撮像装置の前記移動量検出回路部は、
前記撮像素子出力信号をフィールド遅延させるフィールド遅延回路部と、
さらに水平・垂直方向に任意の遅延量を遅延させる水平・垂直遅延可変回路部と、
前記撮像素子出力信号と前記可変遅延回路部出力とを比較する比較回路と、
前記比較回路出力信号の一致具合を判定して合致信号を出力する合致判定回路部と、
前記水平・垂直遅延可変回路部の可変量を制御するとともに前記合致判定回路の合致信号を読みとって移動量を検出するＣＰＵと、
を備えたものであり、
撮像素子出力はフィールド遅延回路でフィールド遅らせ、ＣＰＵからの制御に基づいて遅延量を可変できる水平・垂直遅延可変回路で遅延させ、前記の撮像素子出力と前記水平・垂直遅延可変回路部出力を比較回路で比較し、前記撮像素子出力と前記水平・垂直遅延可変回路出力が一致したことを判定する合致判定回路部で合致したことを判断して合致信号を出力して前記ＣＰＵへ入力し、この一致した時の遅延量を前記ＣＰＵより出力することで移動量を検出するように作用する請求項１の移動量検出回路である。
【００１０】
請求項３に記載の撮像装置は、
撮像素子と記録部および電子ビューファインダーを有する撮像装置であって、
前記撮像素子出力から前記記録部への映像入力信号を得るためのカメラプロセス部と、
カメラのパンあるいはチルトによる角速度を検出する角速度センサー部と、
前記角速度センサー部の角速度信号とカメラレンズ情報のフォーカス位置およびズーム位置を読みとりパンとチルト量よる移動量を算出するＣＰＵと、
前記ＣＰＵ出力信号をディスプレイに表示するための表示コントロール部と、
前記カメラプロセス回路出力信号と表示コントロール部を加算する加算部と、
前記加算出力を表示するための電子ビューファインダーと、
を備えたものであり、
撮像素子の出力からカメラプロセス部で記録部へ送出する映像信号を作成し、角速度センサーでカメラのパン・チルトによる角速度を検出すると共にカメラのフォーカスポジションとズームポジションをＣＰＵで読み取り、さらにＣＰＵで前記加速度、フォーカスポジション、ズームポジションとからフィールドに画像が移動する量を算出して表示コントロール部でディスプレイに表示する信号に変換し、加算部で前記カメラプロセス出力と前記表示コントロール部出力信号を加算して電子ビューファインダーに表示するという作用を有する。
【発明の効果】
【００１１】
以上のように本発明はカメラの撮像時のパン・チルトの動作で生じる画像の移動量を表示したり、速い動きには警告を発し、この画像の動きが速すぎて見づらい画像になることを回避するという優れた効果が得られる。
【発明を実施するための最良の形態】
【００１２】
以下、本発明の実施の形態について、図１から図３を用いて説明する。
【００１３】
（実施の形態１）
図１は本発明の撮像装置の構成図である。
【００１４】
図１において、１は入射光を集めるレンズ、２は入射光を電気信号に変換する撮像素子、３は前記撮像素子出力から撮像装置の出力を作成するカメラプロセ部、４は前記撮像素子出力から前のフィールド信号と今フィールド信号との動きを検出する移動量検出回路部、５は前記移動量検出器の検出量をディスプレイに表示するための信号に変換する表示コントロール部、６は前記カメラプロセス部出力と表示コントロール部５出力を加算する加算部、７は映像信号を出力する出力端子、８は加算部出力を表示する電子ビューファインダーにより構成される。
【００１５】
図２は本発明の撮像装置の移動量検出回路の構成図であります。
【００１６】
図２において、１５は前記撮像素子２出力をフィールド遅らせるフィールド遅延回路、１２は前記フィールド遅延回路出力信号を制御信号に基づいて遅延させる水平・垂直遅延可変回路部、１２は前記水平・垂直遅延回路部出力信号と前記撮像素子出力信号と比較する比較回路部、１４は比較回路部出力を判定して比較入力出力が一致したときに合致信号を出力する合致検出回路部、１５は前記水平・垂直遅延可変回路部の遅延量を可変する制御信号を発生し、前記合致判定回路部で合致信号が出力されるとそのときの遅延量を検出するＣＰＵで構成さている。
【００１７】
以上のように構成された撮像装置について、図１、図２を用いてその動作を説明する。
【００１８】
まず、レンズ１より入射された光は撮像素子２の撮像表面で結像して電気の映像信号を発生する。次に前記撮像素子２出力からカメラプロセス部３で記録装置やディスプレイへ入力する映像信号を得る。また前記撮像素子２出力から移動量検出回路部４でフィールド間で信号がどれだけ移動したかを検出して移動量を出力する。さらに表示コントロール部５で前記移動量をディスプレイに表示できるような映像として変換し、加算部６でこの表示コントロール部５出力信号と前記カメラプロセス部出力信号を加算して電子ビューインダに表示するものである。
【００１９】
この撮像装置の移動量検出回路４は図２の構成で実現できる。図２は撮像素子から得られる信号とこの信号をフィールド遅延させた信号とから画面における移動量を算出する回路であり、撮像素子出力をフィールド遅延回路１２でフィールド遅延させ、さらに水平・垂直遅延可変回路１２で制御信号に基づいて遅延させて、この水平・垂直遅延可変回路１２出力と前記撮像素子出力とを比較回路１３で比較し、さらに合致判定回路１４で前記垂直遅延可変回路１２出力と前記撮像素子出力が同一になることを示す信号を発生させ、ＣＰＵでは前記水平・垂直遅延可変回路１２の遅延量を制御する制御信号を発生するとともに前記合致判定回路出力から合致したことを示す信号をもらって画像の移動量を検出することができる。
【００２０】
以上のように本実施例の形態によれば、フィールド間の画像信号の移動を検出して、パン・チルトの移動量として電子ビューファインダーに表示するため、実際の撮像時に移動量が数値または棒グラフで表示するので、数値を越えないように撮像すれば、一般の人が引き起こすようなパン・チルトが早すぎて見づらい画像収録を軽減することができる。
【００２１】
なお、水平・垂直可変回路１２はフィールド遅延回路のあとに挿入したが、比較回路の前に挿入しても、同様の結果が得られる。
【００２２】
また、カメラの出力信号をそのまま電子ビューファインダーに表示させるようにしたが電子ビューファインダー用の映像信号を本線（レンズ１−撮像素子２―カメラプロセス部３−出力端子７）の映像信号と別にＤＴＬ（Ｄｅｔａｉｌ：輪郭補正量）を大きくしたり、ガンマ補正を変えた信号を用いても支障はない。
【００２３】
また、電子ビューファインダーの表示は数値でも棒グラフ的なものでも問題はない。この移動量が大きいときには色を変えて表示するか表示の濃さを変えてもどちらでも良い。
【００２４】
（実施の形態２）
図３は本発明の撮像装置第２の構成図である。
【００２５】
図３において、１は入射光を集めるレンズ、２は入射光を電気信号に変換する撮像素子、３は前記撮像素子出力から撮像装置の出力を作成するカメラプロセス部、５は前記移動量をディスプレイに表示するための信号に変換する表示コントロール部、６は前記カメラプロセス部出力と表示コントロール部出力を加算する加算部、８は加算部出力を表示する電子ビューファインダーで以上は図１の構成と同様なものである。図１の構成と異なるのは、カメラの角速度を検出する角速度センサー９、レンズの焦点距離とズーム値および前記角速度出力を入力して画像の移動量を算出するＣＰＵ１０を設けた点である。
【００２６】
以上のように構成された撮像装置について、以下その動作を説明する。
【００２７】
レンズ１を通して撮像素子２に結像された像を電気信号にして読みだし、この信号からカメラプロセス部３でカメラ出力または収録信号を得る。また角速度センサー９でカメラの角速度を検出すると同時にレンズの焦点距離とズーム値をＣＰＵ１０に入力してこの３値から画像における移動量を算出し、さらに表示コントロール部５でディスプレイに表示できるように変換して、この変換された信号と前記カメラプロセス部３映像出力とを加算部６で加算して電子ビューファインダー８に表示するものである。
フィ−ルド間の画像の移動距離は（焦点距離）＝（被写体の距離）、（ズーム値）＝（画角）、（角速度）＝（移動量）の関係で表され、簡単に算出することができる。
【００２８】
以上のように本実施の形態によれば、角速度センサーおよびレンズの焦点距離、ズーム値からフィールド間の画像信号の移動量を検出して、パン・チルトによる移動量として電子ビューファインダーに表示することができ、撮像時に移動量が数値または棒グラフで表示できるので、一般の人が引き起こすようなパン・チルトが早すぎて見づらい画像収録は軽減させることができる。
【００２９】
なお、カメラの出力信号をそのまま電子ビューファインダーに表示させるようにしたが電子ビューファインダー用の映像信号を本線（レンズ１−撮像素子２―カメラプロセス部３−出力端子７）の映像信号と別のものでも支障はない。
【００３０】
また、電子ビューファインダーの表示は数値でも棒グラフ表示でも問題はない。この移動量が大きいときには色を変えて表示するか表示の濃さを変えてもどちらでも良い。
【産業上の利用可能性】
【００３１】
本発明にかかる撮像装置は、撮像時の収録においてパン・チルト動作において早すぎる動作により、見づらい画像になって収録を失敗することが軽減されるという効果を有し、ビデオの撮影収録等として有用である。
【図面の簡単な説明】
【００３２】
【図１】本発明の実施の形態１における撮像装置の構成図
【図２】本発明の同実施の形態１における移動量検出回路の具体的構成図
【図３】本発明の実施の形態２における撮像装置の構成図
【図４】従来の撮像装置の構成図
【符号の説明】
【００３３】
１  レンズ
２  撮像素子
３  カメラプロセス
４  移動量検出回路
５  表示コントロール
６  加算部
７  出力端子
８  電子ビューファインダー
９  角速度センサー
１０  ＣＰＵ
【図１】
2006237927.tif 000003
【図２】
2006237927.tif 000004
【図３】
2006237927.tif 000005
【図４】
2006237927.tif 000006